(57)【要約】      （修正有）【課題】水気を含み広がった茶葉が急須内壁や漉し部に付着して取りにくいことに起因して、茶葉を捨てる際の茶葉の廃棄の面倒さや急須の洗浄作業の面倒さを軽減した紙コップを用いた簡易急須を提供する。【解決手段】紙コップの円周開口端に沿うように湾曲して形成しかつこの円周開口端に外周に突出して形成された飲み口鍔部を係止する段差部を有する係止部Ｅと、紙コップを傾ける方向の係止部Ｅに形成されて茶葉を漉し取る漉し部Ｆと、漉し部Ｆと一体で漉し部Ｆからの抽出液を外部に注ぐ注ぎ口と、を有する紙コップ装着体Ｄを備え、簡易急須となる。茶葉の廃棄や洗浄は、漉し部に水をかければ茶葉が取れ、あるいは凹凸のない円形の紙コップ内部形状に起因して紙コップをすすげば茶葉を廃棄でき、また水気を取って茶葉を入れたまま紙コップを廃棄することもできる。【選択図】図２
2019136071.tif 000002
【特許請求の範囲】
【請求項１】
紙コップＣの円周開口端Ｃ３に沿うように湾曲して形成しかつこの円周開口端Ｃ３に外周に突出して形成された飲み口鍔部Ｃ４を係止する段差部Ｅ１を有する係止部Ｅと、紙コップＣを傾ける方向の係止部Ｅの少なくとも一部に形成されて茶葉を漉し取る漉し部Ｆと、漉し部Ｆと一体で漉し部Ｆからの抽出液を外部に注ぐ注ぎ口Ｇと、を有する紙コップ装着体Ｄを備えた簡易急須。
【請求項２】
上記請求項１において、上記係止部Ｅには上記紙コップを嵌め込む切り欠きＥ２を有することを特徴とする簡易急須。
【請求項３】
上記請求項２において、上記切り欠きＥ２にはこの切り欠きＥ２を閉じる係止湾曲片Ｅ６を回動可能に備えたことを特徴とする簡易急須。
【請求項４】
上記請求項１において、上記漉し部Ｆには櫛歯形状、漉し網、漉し孔のいずれか一つにより形成されていることを特徴とする簡易急須。
【請求項５】
上記請求項４において、上記漉し部Ｆは上記紙コップＣの上記円周開口端Ｃ３の全面あるいは一部を覆うように形成されていることを特徴とする簡易急須。
【請求項６】
上記請求項１において、上記係止部Ｅには把持部が一体に形成されていることを特徴とする簡易急須。
【請求項７】
上記請求項１において、上記係止部Ｅには紙コップＣの容器胴部Ｃ１に沿う舌片Ｌが一体に形成されていることを特徴とする簡易急須。
【発明の詳細な説明】
【技術分野】
【０００１】
本発明は、茶葉に湯を注いでその成分を湯に出すこと、いわゆるお茶を入れること、に使われる道具としての急須に係り、しかも紙コップを用いた簡易急須に関する。
【背景技術】
【０００２】
多くの国では茶が栽培され、加工した茶葉に湯を注いで茶を入れて嗜む習慣がある。日本でも古くから緑茶が愛飲されている。最近では、自動販売機が普及し、ペットボトル入りの緑茶飲料が販売され健康志向もあって愛飲されているが、緑茶本来の味を楽しみたい者としては、自身の手で湯を沸かし茶葉に湯を注いで、お茶の香りを楽しみつつその風味を味わいたいものである。
【０００３】
日本国内でも多くの茶処があり、それぞれの産地で味や香りに特徴がある。静岡県西部でも川根茶（登録地域団体商標）や掛川茶（登録地域団体商標）が産出され、また本発明者が居住する浜松市天竜区にあっても天竜川沿いにていわゆる天竜茶を産出する。この天竜茶は前述の川根や掛川とはまた異なり、その茶の香りと共に甘みと渋み双方が程よくミックスしたさわやかな風味となっており、本発明者もその香りと風味を楽しみたいと思う一人である。
【０００４】
お茶を入れるに際しては、昔より、注ぎ口、開口部とその蓋、取手等が陶器や磁器等で作られ、全体として丸い形状のいわゆる急須が多く使われており、急須の開口部より茶葉を入れ、湯を注いで若干蒸し、注ぎ口から抽出湯を茶碗に注ぎ入れる手順を採る。ところが、この茶を入れる手順だけならば、茶を飲むまでの手間であってさほど面倒とは思わないのであるが、味や香りが薄くなったいわゆる出涸らしの茶葉を捨てるときは、急須内部の湾曲した凹凸のある形状や注ぎ口の漉し網や漉し孔（以後漉し部という）の存在に起因して、しかも水気を含み広がった茶葉が急須内壁や漉し部に付着して取りにくいことに起因して、茶葉の廃棄や急須の洗浄を、面倒に感じる人も多い。前述のようにお茶を健康飲料として嗜む人も多いのであるが、急須では出涸らしの茶葉を捨てる面倒さや急須の洗浄の面倒さを考えると、急須でお茶を入れることをせず、携帯に便利なペットボトル等が簡便に入手できることもあって、急須を使わない自動販売機の茶飲料を飲むという最近の傾向のようである。
【０００５】
しかし、やはり急須で入れたお茶は風味も香りも自動販売機の茶飲料とは違っており、このため、簡便にお茶を入れるための方策として、あるいは出涸らし茶葉を捨てやすくする方策として、最近種々の提案がなされている。例として、急須の蓋自体に茶漉し網を設けるもの（特開２０１５−２０８６６８公報）、漏斗状フィルタからなる茶漉しを備えるもの（特開２０１５−１９８６９１公報）、容器に茶漉しを被せたもの（特開２００８−２４６１８７公報）、容器開口部に一体に茶漉し孔を設けるもの（特開２００１−２９２８８３公報）、使い捨て急須（特開２０００−２３７０２１公報）などの提案がある。
【０００６】
ところが、前述の出涸らし茶葉の廃棄や手間を掛けず急須を洗浄したいという要望に対して、上記の先行技術文献等をはじめとして発明者が知る限り、要望を充分に満たす構造のものとなっていない。すなわち、従来の技術は、構造上一長一短があって上述の茶葉を捨てるときの面倒さを緩和し、急須の洗浄に手間を掛けない、という要望を同時に充分満たす構造となっていない。
【先行技術文献】
【特許文献】
【０００７】
【特許文献１】特開２０１５−２０８６６８公報
【特許文献２】特開２０１５−１９８６９１公報
【特許文献３】特開２００８−２４６１８７公報
【特許文献４】特開２００１−２９２８８３公報
【特許文献５】特開２０００−２３７０２１公報
【発明の概要】
【発明が解決しようとする課題】
【０００８】
本発明は、上述の問題点に鑑み発明されたもので、今まで茶葉を捨てる際の茶葉の廃棄の面倒さや急須の洗浄作業の面倒さの双方を軽減した紙コップを用いた簡易急須を提供する。
【課題を解決するための手段】
【０００９】
上記目的を達成する本発明の構成は、紙コップＣの円周開口端Ｃ３に沿うように湾曲して形成しかつこの円周開口端Ｃ３に外周に突出して形成された飲み口鍔部Ｃ４を係止する段差部Ｅ１を有する係止部Ｅと、紙コップＣを傾ける方向の係止部Ｅの少なくとも一部に形成されて茶葉を漉し取る漉し部Ｆと、漉し部Ｆと一体で漉し部Ｆからの抽出液を外部に注ぐ注ぎ口Ｇと、を有する紙コップ装着体Ｄを備えた簡易急須であることを特徴とする。  
【発明の効果】
【００１０】
簡単に入手できる紙コップを利用して、紙コップの係止部、茶葉の漉し部、注ぎ口を備えた紙コップ装着体を形成して、紙コップに湯と茶葉をいれ、抽出湯を注ぎ口より注げば、簡易急須となる。そして、茶葉の廃棄や洗浄は、漉し部に水をかければ茶葉が取れ、あるいは凹凸のない円形の紙コップ内部形状に起因して紙コップをすすげば茶葉を廃棄でき、また水気を取って茶葉を入れたまま紙コップを廃棄することもできる。
【図面の簡単な説明】
【００１１】
【図１】本発明の簡易急須に用いる紙コップの構成図。
【図２】本発明の簡易急須の一例の構成図。
【図３】紙コップを傾けて水を流した場合の水流幅と深さの程度を示す説明図。
【図４】本発明の把持部等を省いた他の例の構成図。
【図５】本発明の全面に漉し部を形成した更に他の例の構成図。
【図６】図５の係止部として係止片を用いた変形例の構成図。
【図７】図４の切り欠きを閉塞する回動部分を備えた変形例の構成図。
【図８】本発明の漉し網を備えた別の例の構成図。
【図９】図８の漉し網の代わりに漉し孔を備えた変形例の構成図。
【発明を実施するための形態】
【００１２】
以下、本発明の簡易急須の実施の形態を述べる。まず、本発明の元となる紙コップについて図１にて述べる。紙コップＣは、図１（a）に示すような紙製のコップで市販されて入手しやすく、その構造は逆円錐台形状の容器胴部Ｃ１、この容器胴部Ｃ１のすぼまった下側にて圧着された底部Ｃ２、容器胴部Ｃ１の上側の円周開口端Ｃ３にあって図１（b）に示すような外周に突出して丸め込まれた飲み口鍔部Ｃ４からなり、円周開口端Ｃ３の径は底部Ｃ２の径よりも大きく、飲み口鍔部Ｃ４は円周開口端Ｃ３の周縁全体にわたって形成され円周開口端Ｃ３の外側に突出した形状となっている。そして、この紙コップＣは紙製であるが故に指の力で簡単にいわゆる塑性変形してひしゃげることができ、また紙の繊維の性質上及び円周開口端Ｃ３の丸め込まれた飲み口鍔部Ｃ４の構造上、ある程度の指の力ではいわゆる弾性変形して元の形に戻ることができるものである。
【実施例】
【００１３】
本発明は、この紙コップＣの弾力性と円周開口端Ｃ３及び飲み口鍔部Ｃ４の構造に着眼し、外周に突出する飲み口鍔部Ｃ４を備えた紙コップＣを利用して新規な急須を得るものである。
【産業上の利用可能性】
【００１４】
紙コップＣは紙コップ装着体に装着される。図２は紙コップ装着体の一例である。図２（a）の例において、この紙コップ装着体Ｄは、紙コップＣを装着し係止させるための係止部Ｅ，茶葉と抽出湯とを分離する漉し部Ｆ，抽出湯の注ぎ口Ｇ、紙コップ装着体Ｄの把持部Ｈからなり、これらは合成樹脂の一体成形にて形成される。また、紙コップ装着体Ｄ自体をテーブルなど平らな場所に置くとき、この紙コップ装着体Ｄが一部分のみにて平らな場所に接触して置かれるよう、図２（a）の２Ｂ−２Ｂ線から見た図２（b）の構成図に示すように端に下部凸部が形成され、ここでは係止部Ｅの端と把持部Ｈの端にて下部凸部Ｉ１、Ｉ２が設けられている。
【００１５】
ここで、係止部Ｅは、紙コップＣの円周開口端Ｃ３と同じ径を有し一部切り欠きを有する湾曲した形状で、紙コップＣを嵌合した状態で紙コップＣの飲み口鍔部Ｃ４を係止する段差部Ｅ１を有する。係止部Ｅに設けられた切り欠きＥ２は、段差部Ｅ１への紙コップＣ嵌め込み時に紙コップＣの飲み口鍔部Ｃ４を弾性変形させて漉し部Ｆや係止部Ｅの抑え突起（後述する）と段差部Ｅ１との間に飲み口鍔部Ｃ４を滑らせて挿入し、嵌め合わせるためのものである。
【００１６】
また、段差部Ｅ１は図２（a）に示す２Ｃから把持部Ｈを見て、合成樹脂の一体成形のために図２（c）に示すように段差部Ｅ１が途切れた構造すなわち空洞Ｅ３となっている。この空洞Ｅ３や上述の切り欠きＥ２は、樹脂成形にあたり合成樹脂の空き部分となり、合成樹脂の充填部を少なくして更なる軽量化に寄与する。
【００１７】
また、漉し部Ｆと対向する側にあって係止部Ｅの上部には、図２（d）にも示すように紙コップＣの飲み口鍔部Ｃ４を抑えるための抑え突起Ｅ４が漉し部Ｆに向かって突出するように形成される。この抑え突起Ｅ４は、漉し部Ｆと共に係止部Ｅの段差部Ｅ１に嵌め込まれた紙コップＣの飲み口鍔部Ｃ４を係止するためのもので、殊に茶を入れるときに紙コップＣと共に紙コップ装着体Ｄを傾けた状態で紙コップＣのずれや抜け落ちを防止するためのものである。図２（a）、（d）では、係止部Ｅの一部分に抑え突起Ｅ４を設けているが、飲み口鍔部Ｃ４の係止を安定させるためには、図示省略するも、係止部Ｅの上部のある程度の長さの湾曲部分に、あるいは複数個所に、あるいは切り欠きＥ２から把持部Ｈまでの長い湾曲部分にわたって抑え突起Ｅ４を設けるようにしてもよい。
【００１８】
係止部Ｅの上部に設けられて前述の抑え突起Ｅ４と対向する側には、漉し部Ｆが形成される。この漉し部Ｆは、注ぎ口Ｇの元部分に位置し抽出湯と茶葉を分離するためのもので、茶葉を漉し取るためのものである。漉し部Ｆは、紙コップＣの円周開口端Ｃ３を塞ぐように平らに形成されると共に、抑え突起Ｅ４と同様に係止部Ｅの上部に一体成形され、図２（a）の例では櫛歯形状に形成される。この櫛歯形状は、図２（e）に示すように係止部Ｅに嵌め込まれた紙コップＣの円周開口端Ｃ３の一部分を覆うように、注ぎ口Ｇに対応する係止部Ｅから抑え突起Ｅ４に向かって突出する構造となっている。この櫛歯形状は、紙コップＣを抑える係止機能を有し、また、茶を入れるとき抽出湯を通しかつ茶葉を漉し取る機能を有するので、茶葉を通しにくい間隔を有し、注ぎ口Ｇから抽出湯を注ぐに際して湯が溢れないような長さが必要である。  
【００１９】
ここで、漉し部Ｆの櫛歯形状に関して、実験した結果を述べる。
まず、半径３６ｍｍの飲み口開口を有する市販の紙コップを用意し円周開口端に沿って色がつく紙を貼付し、紙コップの８０％の深さに着色水を入れる。この状態で紙コップを傾け、排出する水が円周開口端を着色する程度、言い換えれば円周開口端にどの程度着色水が占めることになるかの程度すなわち着色流水の深さを測定した。このとき着色水の流出は層流状態で排出させ、図３に示す円周開口端Ｃ３の縁のどの位置まで着色流水が位置するかを円周開口端Ｃ３縁の着色状態にて計測した。着色水の排出測定結果は、図３の着色位置Ａ，Ｂに基づき、繰り返し実験の結果、最大値としてはＡＢ間の長さＸが６４．４ｍｍ、着色流水の深さＹが１９．９ｍｍであり、最小値としてはＡＢ間の長さＸが６１．７ｍｍ、着色流水の深さＹが１７．４ｍｍであった。着色流水の深さＹは平均を取ると約１９ｍｍ程度となった。茶を入れる場合、８０％の湯を入れることはあまりないであろうが、また、櫛歯や茶葉によって抽出湯の堰き止めが起こるであろうが、櫛歯や茶葉の堰き止めを考慮せず着色水だけの実験からしても、１９．９（最大値）／３６（半径）≒０．５５となり、櫛歯の最長部分の長さは概ね円周開口端Ｃ３からなる飲み口開口の半径の半分強の長さ以上は最低でも必要となることが判明する。
【００２０】
また、市販の紙コップＣの円周開口端Ｃ３からなる飲み口開口の一部を覆う櫛歯を合成樹脂にて試作し、櫛歯の間隔を計測した。櫛歯の間隔の計測は櫛歯の幅（太さ）とも関係するのでこの幅を経験上数種類（０．６４ｍｍ、１．０３ｍｍ、１．６９ｍｍ）と選定し、櫛歯の間隔を０．８４ｍｍ、０，８７ｍｍ、０．９３ｍｍ、１．３６ｍｍ、１．９ｍｍに選定し、水通りの良し悪し、櫛歯を通り抜けて抽出液に含まれる残留茶葉片の量を観測した。結果として、櫛歯の間隔が０．９３ｍｍ以下の間隔では、抽出液の水通りが悪く、１．９ｍｍの間隔では抽出液と一緒に注ぎ出る茶葉片が多くなり、１．３６の間隔では注ぎ出る茶葉片がややあるも少量であった。実験の結果良い値として、櫛歯の間隔は、１．３６ｍｍ付近又はそれ以下（もちろん０．９３ｍｍを超える値であるが）の間隔が良く、水通りが良好で抽出液と共に注ぎ出る茶葉が少ないことが推定された。一方、櫛歯の幅は、実験上上述の三種（０．６４ｍｍ、１．０３ｍｍ、１．６９ｍｍ）の幅の例では１．６９ｍｍ幅の櫛歯が良好であり、この三種の櫛歯幅の例においては最も太くて丈夫な櫛歯となっている。櫛歯の間隔を上述の良好な値を採用したとしても、櫛歯の幅が１．６９ｍｍを超えてあまりに大きい場合には、茶葉を堰きとめやすくなって水の通りが悪くなってしまう。そしてこの場合には、上述の櫛歯の最長部分も飲み口開口の半径近くまで伸ばすことが必要となってしまうと推定される。したがって、櫛歯の幅は、１，６９ｍｍ付近の寸法が良好と考えられる。
【００２１】
以上の実験の結果、漉し部Ｆの櫛歯は、その幅を１．６９ｍｍ付近、その間隔を１．３６ｍｍ付近、最長部分の長さを溢れないように安全を考えて円周開口端である飲み口開口の直径の１／３〜２／５の寸法が漉し部の形状として良好であると推定される。
【００２２】
紙コップ装着体Ｄの注ぎ口Ｇは、上から見て図２（a）に示すように先端方向に形がすぼまり、先端は側面から見て湾曲した溝となっている。この注ぎ口Ｇの形状によって抽出湯が集められ、茶碗（図示省略）に注ぎ込まれることになる。注ぎ口Ｇの形状は、図２（a）、（b）に示すように側面から見て先をすぼめた湾曲した溝、先をすぼめた筒状のもの、三角板形状の両脇に水案内を設けるようにして先に向かってすぼめたもの等があり、また別の観点からすれば漉し部Ｆの元から先端までの流路の長短によって水流が層流のようであったり、水流がよじれたり、等変化する。すなわち、この注ぎ口Ｇの形状は湯の流れに影響を与える。湯の流れに与える影響は、流れ出る湯の量（太さ）、湯の勢いや湯の飛散程度、等の現象として発生する。このため、注ぎ口Ｇの形状によっても櫛歯の最長部分の長さも更に変化する。したがって、頻繁に使う湯の量、櫛歯の長さ、紙コップＣの円周開口端Ｃ３の径によって、適切な注ぎ口の形状が決定され得る。
【００２３】
把持部Ｈは、抽出湯を茶碗（図示省略）に注ぐに当たり手に持って紙コップＣを嵌めた紙コップ装着体Ｄを持ち上げ、傾けて抽出液を茶碗に注ぎ込み易くするためのものである。把持部Ｈは、湯の入った紙コップＣを持ち上げられる強度は当然必要であると共に、その上軽量化して持ちやすくするために筒を半裁した側面から見て湾曲した形状を有し、長さ方向の途中に切り欠きＨ１を有する。この切り欠きＨ１は、この紙コップ装着体Ｄを釘（図示省略）などの突起に係止させて吊り下げ、水切りができるように配慮したものである。しかも、切り欠きＨ１の分だけ軽量化にも寄与する。この把持部Ｈの上記筒を半裁した湾曲した形状や切り欠きＨ１および図２（ｃ）に示す空洞Ｅ３は、合成樹脂の材質とも相俟って軽量化を促し、紙コップＣを段差部Ｅ１に嵌め込み、紙コップＣに湯や茶葉を入れない空の状態でも、言い換えれば図２（e）に示すように把持部Ｈの重さで紙コップＣを倒すような偏った力が働いても、紙コップＣは立ったままで紙コップＣが紙コップ装着体Ｄを支えるように軽量化できるのが好ましい。このことは、紙コップＣを嵌めた紙コップ装着体Ｄにあって、後から紙コップＣに茶葉をいれ湯をいれる作業において紙コップＣが倒れなければ、両手を使えることができるためである。紙コップ装着体Ｄの材質としては、例えばポリプロピレンが挙げられる。
【００２４】
以上説明したように、紙コップ装着体Ｄの段差部Ｅ１に切り欠きＥ２から入れた紙コップＣの飲み口鍔部Ｃ４を係止させ、紙コップＣに茶葉と湯を入れ、把持部Ｈを持って茶葉と湯の入った紙コップＣを傾けることにより、紙コップＣ内に入れた茶葉を漉しつつ抽出液のみを注ぎ口Ｇより茶碗（図示省略）に注ぎいれることができる。そして、注ぎ終わった後は、紙コップ装着体Ｄから紙コップＣを外し、紙コップＣを逆さにすれば紙コップＣの容器胴部Ｃ１内部が凹凸のない湾曲形状であるので出涸らし茶葉のみを簡単に捨てることができ、あるいは出涸らし茶葉をいれたまま紙コップＣをひしゃげて廃棄することもできる。また、紙コップ装着体Ｄの付着茶葉は、漉し部Ｆに水を通すようにかけることによって簡単に除去できる。
【００２５】
図４は、紙コップ装着体Ｄの他の例を示す。
この図４の例では、図2に示す例での把持部Ｈや係止部Ｅの抑え突起Ｅ４を設けることなく、段差部Ｅ１と切り欠きＥ２を設けた湾曲した係止部Ｅ、図２と同様係止部Ｅ上の一部分に設けた櫛歯形状の漉し部Ｆ及び漉し部Ｆからの湯の流れを導く注ぎ口Ｇを有している。そして、図４（a）に示す例では、切り欠きＥ２は漉し部Ｆと対向する位置に設けられる。かかる構造にあって、図4（b）に示すように切り欠きＥ２から段差部Ｅ１に紙コップＣの飲み口鍔部Ｃ４を嵌め合わせ、切り欠きＥ２の端を例えば母指と示指にて押さえつつ茶葉と湯の入った紙コップＣを傾けることにより、抽出液を注ぎ口Ｇから注ぐことができる。この場合、図4（b）には図示省略するも紙コップＣと係止部Ｅとの上下方向の嵌め合わせを安定化するために、切り欠きＥ２近くの係止部Ｅ上に図２（d）に示すような抑え突起Ｅ４を設けるようにしても良い。また、切り欠きＥ２を狭く（短く）して係止部Ｅを湾曲させつつ伸ばせば、紙コップＣの円周開口端Ｃ３と係止部Ｅとの係止がより確実になり、紙コップＣを傾けたとき紙コップ装着体Ｄが紙コップＣの円周開口端Ｃ３に沿って注ぎ口方向にずれにくくなり、紙コップＣと係止部Ｅとが水平方向にずれにくく嵌め合わせの安定化が増す。この例においても、漉し部Ｆの形状寸法、注ぎ口Ｇについては、図2の例が適用され得る。
【００２６】
図５は、紙コップ装着体Ｄの更に他の例を示す。
この図５の構造は、図4の例と同様、図2に示す例での把持部Ｈや係止部Ｅの抑え突起Ｅ４を設けることなく、段差部Ｅ１と切り欠きＥ２を設けた湾曲した係止部Ｅを有し、ここでは図５（a）及び図５（a）の５Ｂ−５Ｂから見た図５（b）に示すように、係止部Ｅの上部に紙コップＣの円周開口端Ｃ３である飲み口開口の全面を覆う形状の円形枠Ｊが形成され、この円形枠Ｊ内全面に櫛歯形状の漉し部Ｆが設けられている。そして、円形枠Ｊの一部はせり出して注ぎ口Ｇを形成し、この注ぎ口Ｇの周方向の両脇には水案内Ｇ１を有する。更に、円形枠Ｊの注ぎ口Ｇと対向する位置には吊り下げ部Ｋが形成され、釘（図示省略）などの突起に係止させて吊り下げ、水切りができるようになっている。かかる構造にあって、図５（c）に示すように切り欠きＥ２から段差部Ｅ１に紙コップＣの飲み口鍔部Ｃ４を挿入し、切り欠きＥ２にあたる円形枠Ｊを指で押さえつつ茶葉と湯の入った紙コップＣを傾けることにより、抽出液を注ぎ口Ｇから注ぐことができる。この図５に示す例でも、漉し部Ｆの寸法や注ぎ口Ｇの形状は図２の例のものが適用でき、切り欠きＥ２の長さについても図４の例が適用できる。
【００２７】
図６の例は、図5の変形例であり、図5の例を裏返しに図示している変形例である。図5も含めこれまで説明した係止部Ｅは一部に切り欠きＥ２を有する湾曲した形状を採っている。しかし、この図６（a）及び図６（a）の６Ｂ−６Ｂから見た図６（b）、さらに拡大した図６（c）の例では、係止部Ｅとして円形枠Ｊの裏側に紙コップＣの飲み口鍔部Ｃ４と部分的に係止する係止片Ｅ５が形成されている。この係止片Ｅ５は、紙コップＣの飲み口鍔部Ｃ４の数箇所（図では3箇所）を係止するように円形枠Ｊの周りに相互に離間して設けられる。係止片Ｅ５は、図６（ｃ）のように爪Ｅ５１が形成され、紙コップＣの飲み口鍔部Ｃ４に係止できる形状となっている。この係止片Ｅ５の爪Ｅ５１は、図２、図４、図５の例で示す係止部Ｅの段差部Ｅ１に相当するもので、紙コップＣを紙コップ装着体Ｄに係止させるものである。紙コップ装着体Ｄにおける図５の段差部Ｅ１にあたる図６の係止片Ｅ５以外の部分は、図５の例を適用する。
【００２８】
図７は、図４の更なる変形例である。図７では、図４の係止部Ｅの切り欠きＥ２を塞ぐような長さを有する係止湾曲片Ｅ６を回動可能に備えたものである。この係止湾曲片Ｅ６にも係止部Ｅと同様に段差部Ｅ６１が形成されて、紙コップＣの飲み口鍔部Ｃ４に係止され得る。係止湾曲片Ｅ６の一端には図７（a）及びこの図７（ａ）の７Ｃ−７Ｃ側面である図７（c）に示すように湾曲外側に突出した係止突出片Ｅ６２が形成され、更にこの係止突出片Ｅ６２には、突出方向と直角方向に嵌合突起Ｅ６３が形成される。一方、係止湾曲片Ｅ６の係止突出片Ｅ６２に対応して係止部Ｅの切り欠きＥ２となる端には、図７（ａ）及び図７（ａ）の７Ｂ−７Ｂから係止湾曲片Ｅ６を除いて見た図７（ｂ）に示すように、湾曲外側に基部突出片Ｅ７が形成され、突出方向と直角方向に嵌合突起Ｅ６３と嵌り合う受け孔Ｅ７１が形成されている。この結果、図７（ｄ）にてわかりやすく図示するように係止部Ｅの基部突出片Ｅ７に設けられた受け孔Ｅ７１に係止湾曲片Ｅ６の係止突出片Ｅ６２に設けられた嵌合突起Ｅ６３を嵌め合わせれば、この受け孔Ｅ７１を中心に係止湾曲部Ｅ６が回動することになり、図７（ｅ）に示すように係止部Ｅの切り欠きＥ２をこの係止湾曲片Ｅ６にて塞ぐことができ、紙コップＣを紙コップ装着体Ｄに一層確実に装着することができる。なお、この図７の例でも、図２に示す把持部Ｈや注ぎ口Ｇあるいは抑え突起Ｅ４の形状・寸法、図５の全面漉し部Ｆや吊り下げ部Ｋの形状・寸法を適用することができる。
【００２９】
図８、図９は、本発明の更なる実施形態を示す。
これまでの説明は、漉し部Ｆが紙コップＣの円周開口端Ｃ３を覆うように平らに櫛歯形状に形成される例を示した。この櫛歯形状は、図２（e）に示すように係止部Ｅに嵌め込まれた紙コップＣの円周開口端Ｃ３の一部分を覆うように、また図５、図６に示すように係止部Ｅに嵌め込まれた紙コップＣの円周開口端Ｃ３の全面を覆うように形成されて、紙コップＣを動きにくく抑えると共に、茶葉を漉し取る構造となっている。この図８、図９に示す例では、漉し部Ｆを櫛歯形状ではなく漉し網や漉し孔を設けた構造となっている。  
【００３０】
図８（ａ）及び図８（ａ）の８Ｂから見た図８（ｂ）に示す構造は、漉し部Ｆに漉し網を用いたものである。この例では、係止部Ｅは切り欠きを有さない閉じた円形を有し、円形の係止部Ｅの段差部Ｅ１は、紙コップＣの飲み口鍔部Ｃ４と係合し得る。一方、注ぎ口Ｇに繋がる漉し部Ｆは係止部Ｅと一体形成され、係止部Ｅと同様に紙コップＣの円周開口端Ｃ３に沿って湾曲しているが、係止部Ｅに対して垂直に近い上方に植立した形状で、しかも湾曲方向内側に若干斜めに植立している。漉し部Ｆは、植立して注ぎ口Ｇと一体に形成され、注ぎ口Ｇに対応して開口が形成され、その開口に例えば金属からなる漉し網を貼着して形成している。また、係止部Ｅの漉し部Ｆと対向する位置には、図２（ａ）に示す構造と同じく抑え突起Ｅ４が形成されている。漉し部Ｆでの合成樹脂を湾曲方向内側に若干斜めに植立したのは、段差部Ｅ１に嵌め込んだ紙コップＣの飲み口鍔部Ｃ４が段差部Ｅ１と漉し部Ｆの基部との間に挟まれ、そして抑え突起Ｅ４と共に紙コップＣを段差部Ｅ１ひいては紙コップ装着体Ｄに確実に装着するためである。
【００３１】
また、係止部Ｅには、漉し部Ｆや係止部Ｅと一体で、しかも係止部Ｅに対して垂直に近い下方に立下がった形状であって、湾曲方向内側に若干斜めに立下がっている形状の舌片Ｌを有する。この舌片Ｌは、紙コップ装着体Ｄに紙コップＣを装着し、この紙コップＣに茶葉や湯を入れて抽出湯を注ぐために紙コップＣを傾けたとき、この湯の重さが紙コップＣの容器胴部Ｃ１や飲み口鍔部Ｃ４に加わることになり、重さによっては紙コップＣが係止部Ｅから抜け落ちることを配慮して、紙コップＣの抜け落ち防止の支えとして舌片Ｌを設けたものである。したがって、舌片Ｌの長さは、頻繁に使用する紙コップＣの深さに応じて設定することが好ましい。把持部Ｈはここでは図２と同様に構成され、係止部Ｅと一体に形成されている。この例では図２（ａ）に示すような切り欠きＨ１は設けていないが、形成してもよい。
【００３２】
図９は、図８の変形例である。図８では漉し部Ｆとして漉し網を備えたものであるが、図９（ａ）、図９の９Ｂから見た図９（ｂ）の例では一体成形された合成樹脂の注ぎ口Ｇに対応して漉し部Ｆの植立部分に漉し孔を設けたものである。また、この例では舌片Ｌを設けることなく、係止部Ｅに突出させて吊り下げ部Ｋを設け、更に、漉し部Ｆの立上げ部分両脇には係止部Ｅ上に紙コップＣを保持しやすいように抑え突起Ｅ４が形成されている。この例では、把持部Ｈや係止部Ｅの下部には、下部凸部Ｉ１、Ｉ２、Ｉ３が形成されている。この例にて舌片Ｌを設けることもできる。ちなみに、図２、図４〜図７までの例でも舌片を設けることができる。また、図２、図４〜図７の例では漉し部Ｆとして櫛歯形状を挙げたが、櫛歯形状の代わりに図８の漉し網や図９の漉し孔を係止部Ｅや円形枠Ｊに張った構造とすることもできる。
【００３３】
以上種々の紙コップ装着体Ｄを述べてきたが、この紙コップ装着体Ｄに紙コップＣを装着し、紙コップＣに茶葉と湯を入れた紙コップＣを傾けることで、漉し部Ｆで茶葉を漉し取り、注ぎ口Ｇより抽出液を注ぐことができ、出涸らし茶葉の廃棄に当たっては、紙コップＣの容器胴部Ｃ１の内部形状によりあるいは茶葉を残した紙コップのまま、また洗浄に当たっては、紙コップ装着体Ｄの漉し部Ｆの水通しにて、廃棄や洗浄が簡単に行える簡易急須を得ることができる。
【符号の説明】
【００３４】
Ｃ    紙コップ
Ｃ３  円周開口端
Ｃ４  飲み口鍔部
Ｅ    係止部
Ｅ１、Ｅ６１  段差部
Ｅ２、Ｈ１  切り欠き
Ｅ４  抑え突起
Ｅ５  係止片
Ｅ６  係止湾曲片
Ｅ６２  係止突出片
Ｅ６３  嵌合突起
Ｅ７  基部突出片
Ｅ７１  受け孔
Ｆ    漉し部
Ｇ    注ぎ口
Ｇ１  水案内
Ｈ    把持部  
Ｉ１、Ｉ２、Ｉ３  下部凸部
Ｊ    円形枠
Ｋ    吊り下げ部
【図１】
2019136071.tif 000003
【図２】
2019136071.tif 000004
【図３】
2019136071.tif 000005
【図４】
2019136071.tif 000006
【図５】
2019136071.tif 000007
【図６】
2019136071.tif 000008
【図７】
2019136071.tif 000009
【図８】
2019136071.tif 000010
【図９】
2019136071.tif 000011
【手続補正書】
【提出日】平成31年2月2日(2019.2.2)
【手続補正１】
【補正対象書類名】特許請求の範囲
【補正対象項目名】全文
【補正方法】変更
【補正の内容】
【特許請求の範囲】
【請求項１】
紙コップCの飲み口開口を形成する円周開口端Ｃ３に沿うように湾曲して形成し、かつこの円周開口端Ｃ３の外周に突出して形成された飲み口鍔部Ｃ４を係止する段差部Ｅ１を有し、この段差部Ｅ１に紙コップＣを弾性変形させて挿入する切り欠きＥ２を有する係止部Ｅと、紙コップＣを傾ける側の係止部Ｅから対向する側の係止部Ｅに向かって突出して形成された櫛歯形状からなり、この櫛歯形状の最長の長さが上記飲み口開口の半径の半分を超える長さに形成された茶葉を漉し取る漉し部Ｆと、茶葉を漉しとった漉し部Ｆからの抽出液を外部に注ぐ注ぐ口Ｇとを、合成樹脂の一体成形ににて形成した紙コップ装着体Ｄを備えた簡易急須。
【手続補正２】
【補正対象書類名】明細書
【補正対象項目名】００１９
【補正方法】変更
【補正の内容】
【００１９】
ここで漉し部Ｆの櫛歯形状に関して、実験した結果を述べる。
まず、半径３６ｍｍの飲み口開口を有する市販の紙コップを用意し円周開口端に沿って色がつく紙を貼付し、紙コップの８０％の深さに着色水を入れる。この状態で紙コップを傾け、排出する水が円周開口端を着色する程度、言い換えれば円周開口端にどの程度着色水が占めることになるかの程度すなわち着色流水の深さを測定した。このとき着色水の流出は層流状態で排出させ、図３に示す円周開口端Ｃ３の縁のどの位置まで着色流水が位置するかを円周開口端Ｃ３縁の着色状態にて計測した。着色水の排出測定結果は、図３の着色位置Ａ，Ｂに基づき、繰り返し実験の結果、最大値としてはＡＢ間の長さＸが６４．４ｍｍ、着色流水の深さＹが１９．９ｍｍであり、最小値としてはＡＢ間の長さＸが６１．７ｍｍ、着色流水の深さＹが１７．４ｍｍであった。着色流水の深さＹは平均を取ると約１９ｍｍ程度となった。茶を入れる場合、８０％の湯を入れることはあまりないであろうが、また、櫛歯や茶葉によって抽出湯の堰き止めが起こるであろうが、櫛歯や茶葉の堰き止めを考慮せず着色水だけの実験からしても、１９．９（最大値）／３６（半径）≒０．５５となり、櫛歯の最長部分の長さは概ね円周開口端Ｃ３からなる飲み口開口の半径の半分を超える長さ以上は最低でも必要となることが判明する。
【手続補正３】
【補正対象書類名】図面
【補正対象項目名】全図
【補正方法】変更
【補正の内容】
【図１】
2019136071.tif 000012
【図２】
2019136071.tif 000013
【図３】
2019136071.tif 000014
【図４】
2019136071.tif 000015
【図５】
2019136071.tif 000016
【図６】
2019136071.tif 000017
【図７】
2019136071.tif 000018
【図８】
2019136071.tif 000019
【図９】
2019136071.tif 000020
【手続補正書】
【提出日】平成31年2月5日(2019.2.5)
【手続補正１】
【補正対象書類名】図面
【補正対象項目名】図８
【補正方法】変更
【補正の内容】
【図８】
2019136071.tif 000021